(57)【要約】【課題】ショートカットボタンを使用してより多くの設定画面を表示できることを目的とする。【解決手段】画像形成装置が、所定の設定画面が登録されたショートカットボタンを表示する操作表示部を具備する画像形成装置であって、前記ショートカットボタンが押下されると、その押下状態に応じて前記設定画面または前記設定画面の同系統の画面を前記操作表示部に表示させる表示制御手段を具備する。【選択図】図１
2011043624.tif 000002
【特許請求の範囲】
【請求項１】
所定の設定画面が登録されたショートカットボタンを表示する操作表示部を具備する画像形成装置であって、
前記ショートカットボタンが押下されると、その押下状態に応じて前記設定画面または前記設定画面の同系統の画面を前記操作表示部に表示させる表示制御手段を具備することを特徴とする画像形成装置。
【請求項２】
前記表示制御手段は、前記操作表示部上の前記ショートカットボタンを複数の領域に分割し、押下された前記領域に応じて前記設定画面または前記設定画面の同系統の画面を前記操作表示部に表示させることを特徴とする請求項１に記載の画像形成装置。
【請求項３】
前記表示制御手段は、前記ショートカットボタンを左右２つの領域に分割し、押下された前記領域に応じて前記設定画面または前記設定画面の同系統の画面を前記操作表示部に表示させることを特徴とする請求項２に記載の画像形成装置。
【請求項４】
前記表示制御手段は、前記ショートカットボタンを大領域と１つまたは複数の小領域とに分割し、大領域が押下されると前記設定画面を表示させ、前記小領域が押下されると前記設定画面の同系統の画面を表示させることを特徴とする請求項２に記載の画像形成装置。
【請求項５】
前記ショートカットボタンの短押しまたは長押しに応じて前記設定画面または前記設定画面の同系統の画面を前記操作表示部に表示させることを特徴とする請求項１に記載の画像形成装置。
【請求項６】
前記設定画面の同系統の画面は、前記設定画面の親画面であることを特徴とする請求項１〜５のいずれかに記載の画像形成装置。
【発明の詳細な説明】
【技術分野】
【０００１】
本発明は、画像形成装置に関する。
【背景技術】
【０００２】
複合機、複写機及びプリンタなどの画像形成装置では、画像形成に対して多種多様な設定をすることができる。しかし、画像形成に対する多種多様な設定が可能になったことで操作が大変複雑になり、その結果、操作性の面でユーザに負担を強いることになった。そのため、上記問題を解決するものとして、ショートカット機能が搭載された画像形成装置が登場した。このショートカット機能とは、手間のかかる設定または使用頻度の高い設定の画面などをショートカットボタンに予め登録する機能である。ユーザは、ショートカットボタンを押下するだけで、予め登録した画面を呼び出すことができる。
そして、下記特許文献１には、このようなショートカット機能を有する画像形成装置が開示されている。
【先行技術文献】
【特許文献】
【０００３】
【特許文献１】特開２００２−３５４１７０号公報
【発明の概要】
【発明が解決しようとする課題】
【０００４】
ところで、上記従来技術では、ショートカットボタンに予め設定画面などを登録し、ショートカットボタンを押下することで、当該画面を簡単に呼び出すことができる。しかし、画面構成上、ショートカットボタンは基本画面（トップ画面）の限られた狭いエリアに配置することが多く、その狭いエリアに表示可能なボタン数は少ない。このため、ショートカットボタンに登録できる設定画面の数も少ない。すなわち、ショートカットボタンを使用して表示できる設定画面の数が少ない。
【０００５】
本発明は、上述した事情に鑑みてなされたものであり、ショートカットボタンを使用してより多くの設定画面を表示できることを目的とする。
【課題を解決するための手段】
【０００６】
上記目的を達成するために、本発明では、画像形成装置に係る第１の解決手段として、所定の設定画面が登録されたショートカットボタンを表示する操作表示部を具備する画像形成装置であって、前記ショートカットボタンが押下されると、その押下状態に応じて前記設定画面または前記設定画面の同系統の画面を前記操作表示部に表示させる表示制御手段を具備するという手段を採用する。
【０００７】
本発明では、画像形成装置に係る第２の解決手段として、上記第１の解決手段において、前記表示制御手段は、前記操作表示部上の前記ショートカットボタンを複数の領域に分割し、押下された前記領域に応じて前記設定画面または前記設定画面の同系統の画面を前記操作表示部に表示させるという手段を採用する。
【０００８】
本発明では、画像形成装置に係る第３の解決手段として、上記第２の解決手段において、前記表示制御手段は、前記ショートカットボタンを左右２つの領域に分割し、押下された前記領域に応じて前記設定画面または前記設定画面の同系統の画面を前記操作表示部に表示させるという手段を採用する。
【０００９】
本発明では、画像形成装置に係る第４の解決手段として、上記第２の解決手段において、前記表示制御手段は、前記ショートカットボタンを大領域と１つまたは複数の小領域とに分割し、大領域が押下されると前記設定画面を表示させ、前記小領域が押下されると前記設定画面の同系統の画面を表示させるという手段を採用する。
【００１０】
本発明では、画像形成装置に係る第５の解決手段として、上記第１の解決手段において、前記ショートカットボタンの短押しまたは長押しに応じて前記設定画面または前記設定画面の同系統の画面を前記操作表示部に表示させるという手段を採用する。
【００１１】
本発明では、画像形成装置に係る第６の解決手段として、上記第１〜第５のいずれかの解決手段において、前記ショートカットボタンの短押しまたは長押しに応じて前記設定画面または前記設定画面の同系統の画面を前記操作表示部に表示させるという手段を採用する。
【発明の効果】
【００１２】
本発明によれば、ショートカットボタンが押下されると、その押下状態に応じて前記設定画面または前記設定画面の同系統の画面を前記操作表示部に表示させる。このように、本発明では、ショートカットボタンを使用してより多くの設定画面を表示することができる。
【図面の簡単な説明】
【００１３】
【図１】本発明の一実施形態に係る複合機Ａの機能ブロック図である。
【図２】本発明の一実施形態に係る複合機Ａの第１の動作例を示すフローチャートである。
【図３】本発明の一実施形態に係る複合機Ａの「集約４ｉｎ１設定画面」を示す図である。
【図４】本発明の一実施形態に係る複合機Ａの第１の動作例の「基本画面」を示す図である。
【図５】本発明の一実施形態に係る複合機Ａの「集約設定画面（設定なし）」を示す図である。
【図６】本発明の一実施形態に係る複合機Ａの第２の動作例を示すフローチャートである。
【図７】本発明の一実施形態に係る複合機Ａの第２の動作例の「基本画面」を示す図である。
【図８】本発明の一実施形態に係る複合機Ａの第３の動作例を示すフローチャートである。
【図９】本発明の一実施形態に係る複合機Ａの第３の動作例の「基本画面」を示す図である。
【図１０】本発明の一実施形態に係る複合機Ａの「集約設定画面（２ｉｎ１）」を示す図である。
【図１１】本発明の一実施形態に係る複合機Ａの「原稿セット向き設定画面」を示す図である。
【発明を実施するための形態】
【００１４】
以下、図面を参照して、本発明の一実施形態について説明する。
本実施形態に係る複合機（画像形成装置）Ａは、ＣＰＵ(Central Processing Unit)１、ＲＯＭ(Read Only Memory)２、ＲＡＭ(Random Access Memory)３、各種センサ群４、画像読取部５、画像データ記憶部６、用紙搬送／画像形成部７、通信Ｉ／Ｆ部８及び操作表示部９を備えている。なお、ＣＰＵ１、ＲＯＭ２及びＲＡＭ３は、本実施形態における表示制御手段を構成する。
【００１５】
ＣＰＵ１は、ＲＯＭ２に記憶されている制御プログラム、各種センサ群４から受信する各種検出信号、画像データ記憶部６に記憶されている原稿画像データ、プリント画像データ及びファクシミリ画像データ、通信Ｉ／Ｆ部８を介してクライアントコンピュータ（図示略）及び公衆網（図示略）から入力される各種指示及び操作表示部９から入力される操作指示に基づいて複合機Ａの全体動作を制御する。なお、このＣＰＵ１の制御処理の詳細については、以下に複合機Ａの動作として説明する。なお、上記公衆網は、公衆の電話網及び公衆のインターネットである。
ＲＯＭ２は、ＣＰＵ１で実行される制御プログラム及びその他のデータを記憶する不揮発性メモリである。
【００１６】
ＲＡＭ３は、ＣＰＵ１が制御プログラムを実行して各種動作を行う際に、データの一時保存先となるワーキングエリアとして用いられる揮発性メモリである。
各種センサ群４は、例えば、原稿セット検出センサ、用紙切れ検出センサ、用紙詰まり検出センサ、用紙位置検出センサ、温度センサ及び筐体（図示略）のカバー開閉検出センサ等の画像形成動作に必要な各種センサであり、それぞれのセンサで検出した各種の情報を検出信号としてＣＰＵ１に出力する。
【００１７】
画像読取部５は、ＤＰ（Document Processor：自動原稿送り装置）とＣＣＤ(Charge Coupled Device)センサ等を備え、ＣＰＵ１の制御の下、ＤＰによって順次給紙される原稿の画像をＣＣＤセンサに読み取らせ、原稿画像に基づく原稿画像データを出力する。なお、画像読取部５は、原稿画像データをＣＰＵ１へ出力し、一方、ＣＰＵ１は、原稿画像データを画像データ記憶部６に記憶させる。
【００１８】
画像データ記憶部６は、例えばフラッシュメモリまたはハードディスクであり、ＣＰＵ１の指示の下、原稿画像データ、通信Ｉ／Ｆ部８がクライアントコンピュータ（図示略）から受信するプリント画像データ及び通信Ｉ／Ｆ部８が公衆網（図示略）から受信するファクシミリ画像データを記憶する。
【００１９】
用紙搬送／画像形成部７は、プリントエンジン（感光ドラム、帯電器、現像装置及び定着ローラ等）、給紙ローラ及び排紙ローラ等を備える。この用紙搬送／画像形成部７は、ＣＰＵ１の制御の下、用紙トレイ（図示略）の記録紙を搬送し、画像データ記憶部６の画像データに基づくトナーからなる画像を記録紙に転写し、当該記録紙を排紙トレイ（図示略）に搬送する。
通信Ｉ／Ｆ部８は、外部のクライアントコンピュータ及び公衆網に接続し、このクライアントコンピュータ及び公衆網との間で各種信号の送受信を行う。
【００２０】
操作表示部９は、コピー機能切替キー、プリント機能切替キー、スキャン機能切替キー、ファクシミリ機能切替キー、スタートキー、ストップ／クリアキー、電源キー、テンキー（数値入力キー）、タッチパネル９ａ及びその他の各種操作キーを備えており、それぞれのキーの操作指示をＣＰＵ１に出力するとともに、ＣＰＵ１の制御の下、タッチパネル９ａへ種々の画面を表示する。なお、コピー機能切替キー、プリント機能切替キー、スキャン機能切替キー及びファクシミリ機能切替キーは、それぞれの機能をユーザが使用する場合に、各機能の動作モードに複合機Ａを切り替えるためのキーである。
【００２１】
次に、上記構成の本実施形態に係る複合機Ａの第１の動作例について、図２を参照して説明する。
まず、複合機Ａにコピー機能の所望の設定画面をショートカット登録しようとするユーザは、タッチパネル９ａのボタンを操作して所望の設定画面をタッチパネル９ａに表示させる。
【００２２】
ＣＰＵ１は、操作表示部９が「集約４ｉｎ１設定画面」表示指示を受け付けると、タッチパネル９ａに「集約４ｉｎ１設定画面」を表示させる（ステップＳ１）。
「集約４ｉｎ１設定画面」について、図３を参照して、説明する。なお、ドット模様のボタンは、選択されていることを示している。
「集約４ｉｎ１設定画面」には、図３に示すように、選択されていない「設定なし」ボタン及び「２ｉｎ１」ボタンと、選択されている「４ｉｎ１」ボタンが表示されている。また、４ｉｎ１のレイアウトを設定するための「左上→右」ボタン、「右上→左」ボタン、「左上→下」ボタン及び「右上→下」ボタンと、「境界線」及び「原稿セット向き」の設定値とが表示されている。
【００２３】
さらに、「集約４ｉｎ１設定画面」には、「ＯＫ」ボタン、「キャンセル」ボタン及び「登録」ボタンが表示されている。「ＯＫ」ボタンが押下されると集約４ｉｎ１設定を完了する。「キャンセル」ボタンが押下されると集約４ｉｎ１設定の変更が無効になる。「登録」ボタンが押下されると「集約４ｉｎ１設定画面」がショートカット登録される。
【００２４】
図２に戻り、ＣＰＵ１は、ステップＳ１の後に、タッチパネル９ａの「集約４ｉｎ１設定画面」上の「登録」ボタンが押下されると、「集約４ｉｎ１設定画面」をショートカット登録し、「集約４ｉｎ１設定画面」から「基本画面」に遷移させ、「基本画面」上にショートカットボタンをタッチパネル９ａに表示させる（ステップＳ２）。
【００２５】
上記第１の動作例の「基本画面」について、図４を参照して、説明する。「基本画面」とは、複合機Ａのコピー機能におけるトップ画面であり、基本的な設定を行うことができ、選択されたタブボタンに応じた設定画面表示ボタンを表示する画面である。そして、「基本画面」では、図４に示すように、簡単設定タブボタンが選択されている場合には、右端側にショートカットボタンを表示する。そして、ショートカットボタンには、「集約４ｉｎ１設定画面」だけでなく、「集約４ｉｎ１設定画面」の親画面である「集約設定画面（設定なし）」もショートカットとして登録される。すなわち、ショートカットボタンを左右２つの領域に分割し、右側領域を「集約設定画面（設定なし）」に割り当て、左側領域を「集約４ｉｎ１設定画面」に割り当てる。
【００２６】
図２に戻り、ＣＰＵ１は、ステップＳ２の後に、ショートカットボタンの右側領域及び左側領域のいずれが押下されたか判定し（ステップＳ３）、ステップＳ３においてショートカットボタンの右側領域が押下されたと判定した場合には、「集約設定画面（設定なし）」（図５参照）をタッチパネル９ａに表示させ（ステップＳ４）、ステップＳ３においてショートカットボタンの左側領域が押下されたと判定した場合には、「集約４ｉｎ１設定画面」をタッチパネル９ａに表示させる（ステップＳ５）。
【００２７】
「集約設定画面（設定なし）」について、図５を参照して、説明する。なお、ドット模様のボタンは、選択されていることを示している。
「集約設定画面（設定なし）」は、設定値が設定なしである場合の集約設定画面であり、図５に示すように、選択されている「設定なし」と、選択されていない「２ｉｎ１」及び「４ｉｎ１」ボタンが表示されている。
【００２８】
次に、上記構成の本実施形態に係る複合機Ａの第２の動作例について、図６を参照して説明する。
ＣＰＵ１は、操作表示部９が「集約４ｉｎ１設定画面」 表示指示を受け付けると、タッチパネル９ａに「集約４ｉｎ１設定画面」（図３参照）を表示させる（ステップＳ１１）。
ＣＰＵ１は、ステップＳ１１の後に、タッチパネル９ａの「集約４ｉｎ１設定画面」上の「登録」ボタンが押下されると、「集約４ｉｎ１設定画面」をショートカット登録し、「集約４ｉｎ１設定画面」から「基本画面」に遷移させ、「基本画面」上にショートカットボタンをタッチパネル９ａに表示させる（ステップＳ１２）。
【００２９】
上記第２の動作例の「基本画面」について、図7を参照して、説明する。
第２の動作例の「基本画面」は、簡単設定タブボタンが選択されている場合には、図７に示すショートカットボタンを表示する。
【００３０】
ＣＰＵ１は、ステップＳ１２の後に、ショートカットボタンの長押し及び短押しのいずれであるか判定し（ステップＳ１３）、ステップＳ１３においてショートカットボタンが長押しされたと判定した場合には、「集約設定画面（設定なし）」（図５参照）をタッチパネル９ａに表示させ（ステップＳ１４）、ステップＳ１３においてショートカットボタンが短押しされたと判定した場合には、「集約４ｉｎ１設定画面」をタッチパネル９ａに表示させる（ステップＳ１５）。
【００３１】
次に、上記構成の本実施形態に係る複合機Ａの第３の動作例について、図８を参照して説明する。
ＣＰＵ１は、操作表示部９が「集約４ｉｎ１設定画面」 表示指示を受け付けると、タッチパネル９ａに「集約４ｉｎ１設定画面」（図３参照）を表示させる（ステップＳ２１）。
ＣＰＵ１は、ステップＳ２１の後に、タッチパネル９ａの「集約４ｉｎ１設定画面」上の「登録」ボタンが押下されると、「集約４ｉｎ１設定画面」をショートカット登録し、「集約４ｉｎ１設定画面」から「基本画面」に遷移させ、「基本画面」上にショートカットボタンをタッチパネル９ａに表示させる（ステップＳ２２）。
【００３２】
上記第３の動作例の「基本画面」について、図９を参照して、説明する。第３の動作例の「基本画面」のショートカットボタンには、「集約４ｉｎ１設定画面」だけでなく、「集約４ｉｎ１設定画面」の親画面の１つである「集約設定画面（設定なし）」(図５参照)と、「集約４ｉｎ１設定画面」の親画面の１つである「集約設定画面（２ｉｎ１）」と、「集約４ｉｎ１設定画面」の子画面である「原稿セット向き設定画面」とが一緒にショートカットとして登録される。
【００３３】
すなわち、ショートカットボタンの右端に、図９に示す３つの小領域を作り、それぞれの小領域を「集約設定画面（設定なし）」、「集約設定画面（２ｉｎ１）」及び「原稿セット向き設定画面」に割り当てる。また、残りの大領域は、「集約４ｉｎ１設定画面」に割り当てる。
なお、上記「集約設定画面（２ｉｎ１）」は図１０に示す画面である。また、上記「原稿セット向き設定画面」は、集約４ｉｎ１設定における原稿セット向きを設定するための画面であり、図１１に示す画面である。
【００３４】
図８に戻り、ＣＰＵ１は、ステップＳ２２の後に、ショートカットボタンの小領域及び大領域のいずれが押下されたか判定し（ステップＳ２３）、ステップＳ２３において上側小領域が押下されたと判定した場合には、「集約設定画面（設定なし）」をタッチパネル９ａに表示させ（ステップＳ２４）、ステップＳ２３において真ん中小領域が押下されたと判定した場合には、「集約設定画面（２ｉｎ１）」をタッチパネル９ａに表示させ（ステップＳ２５）、ステップＳ２３において下側小領域が押下されたと判定した場合には、「原稿セット向き設定画面」をタッチパネル９ａに表示させ（ステップＳ２６）、ステップＳ２３において大領域が押下されたと判定した場合には、「集約４ｉｎ１設定画面」をタッチパネル９ａに表示させる（ステップＳ２７）。
【００３５】
以上のように、本実施形態に係る複合機Ａにおいて、第１の動作例ではショートカットボタンの左右領域の押下に応じて「集約４ｉｎ１設定画面」または「集約設定画面（設定なし）」を表示し、第２の動作例ではショートカットボタン長押しまたは短押しに応じて「集約４ｉｎ１設定画面」または「集約設定画面（設定なし）」を表示し、第３の動作例ではショートカットボタンの大領域及び小領域の押下に応じて「集約４ｉｎ１設定画面」、「集約設定画面（設定なし）」、「集約設定画面（２ｉｎ１）」または「原稿セット向き設定画面」を表示する。このように、複合機Ａでは、ショートカットボタンを使用してより多くの設定画面を表示することができる。
【符号の説明】
【００３６】
Ａ…複合機、１…ＣＰＵ、２…ＲＯＭ、３…ＲＡＭ、４…各種センサ群、５…画像読取部、６…画像データ記憶部、７…用紙搬送／画像形成部、８…通信Ｉ／Ｆ部、９…操作表示部、９ａ…タッチパネル、
【図１】
2011043624.tif 000003
【図２】
2011043624.tif 000004
【図３】
2011043624.tif 000005
【図４】
2011043624.tif 000006
【図５】
2011043624.tif 000007
【図６】
2011043624.tif 000008
【図７】
2011043624.tif 000009
【図８】
2011043624.tif 000010
【図９】
2011043624.tif 000011
【図１０】
2011043624.tif 000012
【図１１】
2011043624.tif 000013